(57)【要約】【課題】例えば、一方の装置に表示されている画像をフリックして、他方の装置に表示させる際に、画像がシームレスに移動しているように表示させること。【解決手段】第１の表示装置１００と、第２の表示装置２００とを備え、第１の表示装置１００は、画像送信部と、第１の位置座標特定部と、位置座標情報送信部とを有し、第２の表示装置２００は、位置関係特定部と、画像を、第１の表示装置１００から受信する画像受信部と、位置座標の情報を、第１の表示装置１００から受信する位置座標情報受信部と、位置関係特定部が特定した位置関係と、位置座標情報受信部が受信した画像の位置座標の情報とに基づいて、第２の表示手段２３０の座標系における画像の位置座標を特定する第２の位置座標特定部と、第２の位置座標特定部が特定した画像の位置座標に基づいて、画像受信部が受信した画像を、第２の表示手段２３０に表示させる画像表示部とを有する。【選択図】図５
2014206894.tif 000002
【特許請求の範囲】
【請求項１】
第１の表示手段を具備する第１の表示装置と、
第２の表示手段を具備する第２の表示装置と
を備え、
前記第１の表示装置は、
前記第１の表示手段に表示されている画像を前記第２の表示装置へ送信する旨の入力操作が成された場合に、前記画像を、前記第２の表示装置へ送信する画像送信部と、
前記第１の表示手段の座標系における前記画像の位置座標を特定する第１の位置座標特定部と、
前記第１の位置座標特定部が特定した位置座標の情報を、前記第２の表示装置へ送信する位置座標情報送信部と
を有し、
前記第２の表示装置は、
前記第１の表示手段と前記第２の表示手段との相対的な位置関係を特定する位置関係特定部と、
前記画像を、前記第１の表示装置から受信する画像受信部と、
前記位置座標の情報を、前記第１の表示装置から受信する位置座標情報受信部と、
前記位置関係特定部が特定した位置関係と、前記位置座標情報受信部が受信した画像の位置座標の情報とに基づいて、前記第２の表示手段の座標系における前記画像の位置座標を特定する第２の位置座標特定部と、
前記第２の位置座標特定部が特定した画像の位置座標に基づいて、前記画像受信部が受信した画像を、前記第２の表示手段に表示させる画像表示部と
を有する表示システム。
【請求項２】
前記第１の表示装置は、前記第１の表示手段の背面側に設けられた第１の無線通信手段を具備し、
前記第２の表示装置は、前記第２の表示手段の背面側に設けられて、前記第１の無線通信手段に近接した場合に、前記第１の無線通信手段との間で無線通信を行う第２の無線通信手段を具備する
請求項１に記載の表示システム。
【請求項３】
前記第１の表示装置は、
前記第１の表示装置の寸法の情報を、前記第２の表示装置へ送信する寸法情報送信部
を更に有し、
前記第２の表示装置は、
前記寸法の情報を、前記第１の表示装置から受信する寸法情報受信部
を更に有し、
前記位置関係特定部は、前記寸法情報受信部が受信した寸法の情報に基づいて、前記第１の表示手段と前記第２の表示手段との相対的な位置関係を特定する
請求項２に記載の表示システム。
【請求項４】
前記第１の表示装置は、前記第１の表示装置の向いている方位を検出する第１の方位検出手段を更に具備し、
前記第２の表示装置は、前記第２の表示装置の向いている方位を検出する第２の方位検出手段を更に具備し、
前記第１の表示装置は、
前記第１の方位検出手段によって検出された方位の情報を、前記第２の表示装置へ送信する方位情報送信部
を更に有し、
前記第２の表示装置は、
前記方位の情報を、前記第１の表示装置から受信する方位情報受信部
を更に有し、
前記位置関係特定部は、前記方位情報受信部が受信した方位の情報と、前記第２の方位検出手段によって検出された方位に基づいて、前記第１の表示手段と前記第２の表示手段との相対的な位置関係を特定する
請求項２又は３に記載の表示システム。
【請求項５】
前記第１の表示装置は、複数の前記第１の無線通信手段を具備し、
前記第１の表示装置は、
複数の前記第１の無線通信手段のうち、前記第２の無線通信手段と通信している第１の無線通信手段の情報を、前記第２の表示装置へ送信する通信手段情報送信部
を更に有し、
前記第２の表示装置は、
前記第１の無線通信手段の情報を、前記第１の表示装置から受信する通信手段情報受信部
を更に有し、
前記位置関係特定部は、前記通信手段情報受信部が受信した第１の無線通信手段の情報に基づいて、前記第１の表示手段と前記第２の表示手段との相対的な位置関係を特定する
請求項２から４のいずれか一項に記載の表示システム。
【請求項６】
前記第２の表示装置は、複数の前記第２の無線通信手段を具備し、
前記位置関係特定部は、複数の第２の無線通信手段のうち、前記第１の無線通信手段と通信している第２の無線通信手段の位置に基づいて、前記第１の表示手段と前記第２の表示手段との相対的な位置関係を特定する
請求項２から５のいずれか一項に記載の表示システム。
【請求項７】
前記画像表示部は、前記画像を、前記第２の表示手段に表示させるにあたり、前記画像を移動させる方向を調整する
請求項１から６のいずれか一項に記載の表示システム。
【請求項８】
第１の表示手段を具備する第１の表示装置と、第２の表示手段を具備する第２の表示装置とを備える表示システムにおいて、前記第２の表示装置が、前記第１の表示手段と前記第２の表示手段との相対的な位置関係を特定する位置関係特定段階と、
前記第１の表示装置が、前記第１の表示手段に表示されている画像を前記第２の表示装置へ送信する旨の入力操作が成された場合に、前記画像を、前記第２の表示装置へ送信する画像送信段階と、
前記第２の表示装置が、前記画像を、前記第１の表示装置から受信する画像受信段階と、
前記第１の表示装置が、前記第１の表示手段の座標系における前記画像の位置座標を特定する第１の位置座標特定段階と、
前記第２の表示装置が、前記第１の位置座標特定段階において特定された位置座標の情報を、前記第２の表示装置へ送信する位置座標情報送信段階と、
を有し、
前記第２の表示装置は、前記位置座標の情報を、前記第１の表示装置から受信する位置座標情報受信段階と、
前記位置関係特定段階において特定された位置関係と、前記位置座標情報受信段階において受信された画像の位置座標の情報とに基づいて、前記第２の表示手段の座標系における前記画像の位置座標を特定する第２の位置座標特定段階と、
前記第２の位置座標特定段階において特定された画像の位置座標に基づいて、前記画像を、前記第２の表示手段に表示させる画像表示段階と
を有する表示方法。
【請求項９】
自装置が具備する表示手段に表示されている画像を他の表示装置へ送信する旨の入力操作が成された場合に、前記画像を、前記他の表示装置へ送信する画像送信部と、
前記表示手段の座標系における前記画像の位置座標を特定する位置座標特定部と、
前記位置座標特定部が特定した位置座標の情報を、前記他の表示装置へ送信する位置座標情報送信部と
を備える表示装置。
【請求項１０】
他の表示装置が具備する第１の表示手段と自装置が具備する第２の表示手段との相対的な位置関係を特定する位置関係特定部と、
画像を、前記他の表示装置から受信する画像受信部と、
前記第１の表示手段の座標系における前記画像の位置座標の情報を、前記他の表示装置から受信する位置座標情報受信部と、
前記位置関係特定部が特定した位置関係と、前記位置座標情報受信部が受信した画像の位置座標の情報とに基づいて、前記第２の表示手段の座標系における前記画像の位置座標を特定する位置座標特定部と、
前記位置座標特定部が特定した画像の位置座標に基づいて、前記画像を、前記第２の表示手段に表示させる画像表示部と
を備える表示装置。
【請求項１１】
コンピュータを、
自装置が具備する表示手段に表示されている画像を他の表示装置へ送信する旨の入力操作が成された場合に、前記画像を、前記他の表示装置へ送信する画像送信部、
前記表示手段の座標系における前記画像の位置座標を特定する位置座標特定部、
前記位置座標特定部が特定した位置座標の情報を、前記他の表示装置へ送信する位置座標情報送信部
として機能させるプログラム。
【請求項１２】
コンピュータを、
他の表示装置が具備する第１の表示手段と自装置が具備する第２の表示手段との相対的な位置関係を特定する位置関係特定部、
画像を、前記他の表示装置から受信する画像受信部、
前記第１の表示手段の座標系における前記画像の位置座標の情報を、前記他の表示装置から受信する位置座標情報受信部、
前記位置関係特定部が特定した位置関係と、前記位置座標情報受信部が受信した画像の位置座標の情報とに基づいて、前記第２の表示手段の座標系における前記画像の位置座標を特定する位置座標特定部、
前記位置座標特定部が特定した画像の位置座標に基づいて、前記画像を、前記第２の表示手段に表示させる画像表示部
として機能させるプログラム。
【請求項１３】
コンピュータを、
自装置が具備する表示手段に表示されている画像を他の表示装置へ送信する旨の入力操作が成された場合に、前記画像を、前記他の表示装置へ送信する画像送信部、
前記表示手段の座標系における前記画像の位置座標を特定する位置座標特定部、
前記位置座標特定部が特定した位置座標の情報を、前記他の表示装置へ送信する位置座標情報送信部
として機能させるプログラムを記録した記録媒体。
【請求項１４】
コンピュータを、
他の表示装置が具備する第１の表示手段と自装置が具備する第２の表示手段との相対的な位置関係を特定する位置関係特定部、
画像を、前記他の表示装置から受信する画像受信部、
前記第１の表示手段の座標系における前記画像の位置座標の情報を、前記他の表示装置から受信する位置座標情報受信部、
前記位置関係特定部が特定した位置関係と、前記位置座標情報受信部が受信した画像の位置座標の情報とに基づいて、前記第２の表示手段の座標系における前記画像の位置座標を特定する位置座標特定部、
前記位置座標特定部が特定した画像の位置座標に基づいて、前記画像を、前記第２の表示手段に表示させる画像表示部
として機能させるプログラムを記録した記録媒体。
【発明の詳細な説明】
【技術分野】
【０００１】
本発明は、表示システム、表示方法、表示装置、プログラム及び記録媒体に関する。
【背景技術】
【０００２】
データ転送の手法については、例えば、電子掲示装置の画面上の外縁部に設けられた転送用領域に、ユーザがデータアイコンをドラッグ＆ドロップすることで、ユーザの所有する携帯端末にデータを転送する技術がある。
【０００３】
しかしながら、この手法においては、画面上の外縁部は常に外部との接続に用いられるため、画面が小さい携帯端末等に適用した場合、表示領域が狭くなるため、操作性の悪化を招く。
【０００４】
また、データ転送の手法については、複数の携帯端末の表示画面上に共有空間を設け、その共有空間にデータアイコンをドラッグ＆ドロップすることで、携帯端末間でデータを転送する手法が提案されている。
【０００５】
このような背景に関連する技術としては、様々なものが知られている（例えば、特許文献１参照。）。
【０００６】
例えば、特許文献１には、データの送信先である受信装置にデータを送信する送信装置の送信方法が記載されている。より具体的に説明すると、この送信方法は、データに対応するアイコンの、タッチパネルとしての第１の表示部への表示を制御する。そして、この送信方法は、アイコンが表示される第１の表示部に対する第１のユーザの操作を検出する。そして、この送信方法は、アイコンが、第１の表示部における所定領域で保持されているときに、受信装置においてアイコンの一部が表示される、タッチパネルとしての第２の表示部に対する第２のユーザの操作を検知する。そして、この送信方法は、アイコンが第１の表示部における所定領域で保持され、且つ、アイコンの一部が第２の表示部において保持されている状態から、アイコンが第１の表示部における所定領域で解放されたことが検出されたとき、受信装置へのデータの送信を開始するよう制御する。このようにして、この送信方法によっては、より簡単で直感的な操作によってデータの受け渡しを行うことが可能となる。
【先行技術文献】
【特許文献】
【０００７】
【特許文献１】特開２０１０−２６２３３０号公報
【発明の概要】
【発明が解決しようとする課題】
【０００８】
しかしながら、特許文献１に記載の技術によっては、例えば、送信装置に表示されている画像を受信装置に表示させるために、その画像をフリックするにあたり、フリックされた画像が移動する方向によっては、送信装置から画像がはみ出た位置と、受信装置に画像が表示されてくる位置とがずれてしまい、画像がシームレスに移動しているように表示させることができない場合がある。
【０００９】
本発明の目的は、上述した課題を解決する表示システム、表示方法、表示装置、プログラム及び記録媒体を提供することにある。
【課題を解決するための手段】
【００１０】
上記課題を解決するために、本発明の第１の形態によると、表示システムであって、第１の表示手段を具備する第１の表示装置と、第２の表示手段を具備する第２の表示装置とを備え、第１の表示装置は、第１の表示手段に表示されている画像を第２の表示装置へ送信する旨の入力操作が成された場合に、画像を、第２の表示装置へ送信する画像送信部と、第１の表示手段の座標系における画像の位置座標を特定する第１の位置座標特定部と、第１の位置座標特定部が特定した位置座標の情報を、第２の表示装置へ送信する位置座標情報送信部とを有し、第２の表示装置は、第１の表示手段と第２の表示手段との相対的な位置関係を特定する位置関係特定部と、画像を、第１の表示装置から受信する画像受信部と、位置座標の情報を、第１の表示装置から受信する位置座標情報受信部と、位置関係特定部が特定した位置関係と、位置座標情報受信部が受信した画像の位置座標の情報とに基づいて、第２の表示手段の座標系における画像の位置座標を特定する第２の位置座標特定部と、第２の位置座標特定部が特定した画像の位置座標に基づいて、画像受信部が受信した画像を、第２の表示手段に表示させる画像表示部とを有する。
【００１１】
本発明の第２の形態によると、表示方法であって、第１の表示手段を具備する第１の表示装置と、第２の表示手段を具備する第２の表示装置とを備える表示システムにおいて、第２の表示装置が、第１の表示手段と第２の表示手段との相対的な位置関係を特定する位置関係特定段階と、第１の表示装置が、第１の表示手段に表示されている画像を第２の表示装置へ送信する旨の入力操作が成された場合に、画像を、第２の表示装置へ送信する画像送信段階と、第２の表示装置が、画像を、第１の表示装置から受信する画像受信段階と、第１の表示装置が、第１の表示手段の座標系における画像の位置座標を特定する第１の位置座標特定段階と、第２の表示装置が、第１の位置座標特定段階において特定された位置座標の情報を、第２の表示装置へ送信する位置座標情報送信段階と、を有し、第２の表示装置は、位置座標の情報を、第１の表示装置から受信する位置座標情報受信段階と、位置関係特定段階において特定された位置関係と、位置座標情報受信段階において受信された画像の位置座標の情報とに基づいて、第２の表示手段の座標系における画像の位置座標を特定する第２の位置座標特定段階と、第２の位置座標特定段階において特定された画像の位置座標に基づいて、画像を、第２の表示手段に表示させる画像表示段階とを有する。
【００１２】
本発明の第３の形態によると、表示装置であって、自装置が具備する表示手段に表示されている画像を他の表示装置へ送信する旨の入力操作が成された場合に、画像を、他の表示装置へ送信する画像送信部と、表示手段の座標系における画像の位置座標を特定する位置座標特定部と、位置座標特定部が特定した位置座標の情報を、他の表示装置へ送信する位置座標情報送信部とを備える。
【００１３】
本発明の第４の形態によると、表示装置であって、他の表示装置が具備する第１の表示手段と自装置が具備する第２の表示手段との相対的な位置関係を特定する位置関係特定部と、画像を、他の表示装置から受信する画像受信部と、第１の表示手段の座標系における画像の位置座標の情報を、他の表示装置から受信する位置座標情報受信部と、位置関係特定部が特定した位置関係と、位置座標情報受信部が受信した画像の位置座標の情報とに基づいて、第２の表示手段の座標系における画像の位置座標を特定する位置座標特定部と、位置座標特定部が特定した画像の位置座標に基づいて、画像を、第２の表示手段に表示させる画像表示部とを備える。
【００１４】
本発明の第５の形態によると、プログラムであって、コンピュータを、自装置が具備する表示手段に表示されている画像を他の表示装置へ送信する旨の入力操作が成された場合に、画像を、他の表示装置へ送信する画像送信部、表示手段の座標系における画像の位置座標を特定する位置座標特定部、位置座標特定部が特定した位置座標の情報を、他の表示装置へ送信する位置座標情報送信部として機能させる。
【００１５】
本発明の第６の形態によると、プログラムであって、コンピュータを、他の表示装置が具備する第１の表示手段と自装置が具備する第２の表示手段との相対的な位置関係を特定する位置関係特定部、画像を、他の表示装置から受信する画像受信部、第１の表示手段の座標系における画像の位置座標の情報を、他の表示装置から受信する位置座標情報受信部、位置関係特定部が特定した位置関係と、位置座標情報受信部が受信した画像の位置座標の情報とに基づいて、第２の表示手段の座標系における画像の位置座標を特定する位置座標特定部、位置座標特定部が特定した画像の位置座標に基づいて、画像を、第２の表示手段に表示させる画像表示部として機能させる。
【００１６】
本発明の第７の形態によると、記録媒体であって、コンピュータを、自装置が具備する表示手段に表示されている画像を他の表示装置へ送信する旨の入力操作が成された場合に、画像を、他の表示装置へ送信する画像送信部、表示手段の座標系における画像の位置座標を特定する位置座標特定部、位置座標特定部が特定した位置座標の情報を、他の表示装置へ送信する位置座標情報送信部として機能させるプログラムを記録した。
【００１７】
本発明の第８の形態によると、記録媒体であって、コンピュータを、他の表示装置が具備する第１の表示手段と自装置が具備する第２の表示手段との相対的な位置関係を特定する位置関係特定部、画像を、他の表示装置から受信する画像受信部、第１の表示手段の座標系における画像の位置座標の情報を、他の表示装置から受信する位置座標情報受信部、位置関係特定部が特定した位置関係と、位置座標情報受信部が受信した画像の位置座標の情報とに基づいて、第２の表示手段の座標系における画像の位置座標を特定する位置座標特定部、位置座標特定部が特定した画像の位置座標に基づいて、画像を、第２の表示手段に表示させる画像表示部として機能させるプログラムを記録した。
【００１８】
なお、上記の発明の概要は、本発明の必要な特徴の全てを列挙したものではない。また、これらの特徴群のサブコンビネーションもまた、発明となり得る。
【発明の効果】
【００１９】
以上の説明から明らかなように、この発明によっては、例えば、一方の装置に表示されている画像をフリックして、他方の装置に表示させる際に、画像がシームレスに移動しているように表示させることができる。
【図面の簡単な説明】
【００２０】
【図１】第１の実施形態に係る表示システムが備えるスマートフォン１００の構成の一例を示す図である。
【図２】第１の実施形態に係る表示システムが備えるタブレット端末２００の構成の一例を示す図である。
【図３】第１の実施形態及び第２の実施形態に係るスマートフォン１００のブロック構成の一例を示す図である。
【図４】第１の実施形態及び第２の実施形態に係るタブレット端末２００のブロック構成の一例を示す図である。
【図５】スマートフォン１００及びタブレット端末２００による表示システムの利用方法の一例を示す図である。
【図６】スマートフォン１００及びタブレット端末２００による表示システムの利用方法の一例を示す図である。
【図７】スマートフォン１００及びタブレット端末２００による表示システムの利用方法の一例を示す図である。
【図８】スマートフォン１００及びタブレット端末２００による表示システムの利用方法の一例を示す図である。
【図９】スマートフォン１００及びタブレット端末２００による表示システムの利用方法の一例を示す図である。
【図１０】第１の実施形態及び第２の実施形態に係るスマートフォン１００及びタブレット端末２００の動作シーケンスの一例を示す図である。
【図１１】第２の実施形態、第３の実施形態及び第６の実施形態に係る表示システムが備えるスマートフォン１００の構成の一例を示す図である。
【図１２】第２の実施形態、第３の実施形態及び第５の実施形態に係る表示システムが備えるタブレット端末２００の構成の一例を示す図である。
【図１３】スマートフォン１００及びタブレット端末２００による表示システムの利用方法の一例を示す図である。
【図１４】スマートフォン１００及びタブレット端末２００による表示システムの利用方法の一例を示す図である。
【図１５】スマートフォン１００及びタブレット端末２００による表示システムの利用方法の一例を示す図である。
【図１６】スマートフォン１００及びタブレット端末２００による表示システムの利用方法の一例を示す図である。
【図１７】スマートフォン１００及びタブレット端末２００による表示システムの利用方法の一例を示す図である。
【図１８】第３の実施形態に係るスマートフォン１００のブロック構成の一例を示す図である。
【図１９】第３の実施形態に係るタブレット端末２００のブロック構成の一例を示す図である。
【図２０】第３の実施形態に係るスマートフォン１００及びタブレット端末２００の動作シーケンスの一例を示す図である。
【図２１】第４の実施形態に係る表示システムが備えるスマートフォン１００の構成の一例を示す図である。
【図２２】第４の実施形態に係る表示システムが備えるタブレット端末２００の構成の一例を示す図である。
【図２３】第４の実施形態に係るスマートフォン１００のブロック構成の一例を示す図である。
【図２４】第４の実施形態に係るタブレット端末２００のブロック構成の一例を示す図である。
【図２５】第４の実施形態に係るスマートフォン１００及びタブレット端末２００の動作シーケンスの一例を示す図である。
【図２６】第５の実施形態に係る表示システムが備えるスマートフォン１００の構成の一例を示す図である。
【図２７】第５の実施形態に係るスマートフォン１００のブロック構成の一例を示す図である。
【図２８】第５の実施形態に係るタブレット端末２００のブロック構成の一例を示す図である。
【図２９】第５の実施形態に係るスマートフォン１００及びタブレット端末２００の動作シーケンスの一例を示す図である。
【図３０】第６の実施形態に係る表示システムが備えるタブレット端末２００の構成の一例を示す図である。
【図３１】第６の実施形態に係るスマートフォン１００及びタブレット端末２００の動作シーケンスの一例を示す図である。
【図３２】スマートフォン１００及びタブレット端末２００による表示システムの利用方法の一例を示す図である。
【図３３】スマートフォン１００及びタブレット端末２００による表示システムの利用方法の一例を示す図である。
【図３４】スマートフォン１００及びタブレット端末２００による表示システムの利用方法の一例を示す図である。
【図３５】スマートフォン１００及びタブレット端末２００による表示システムの利用方法の一例を示す図である。
【図３６】第７の実施形態に係るスマートフォン１００及びタブレット端末２００の動作シーケンスの一例を示す図である。
【図３７】スマートフォン１００のハードウェア構成の一例を示す図である。
【発明を実施するための形態】
【００２１】
以下、発明の実施の形態を通じて本発明を説明するが、以下の実施形態は特許請求の範囲にかかる発明を限定するものではなく、また、実施形態の中で説明されている特徴の組み合わせの全てが発明の解決手段に必須であるとは限らない。
【００２２】
図１は、第１の実施形態に係る表示システムが備えるスマートフォン１００の構成の一例を示す。ここで、スマートフォン１００とは、個人用の携帯コンピュータ機能を併せ持った携帯電話である。なお、スマートフォン１００は、この発明における「第１の表示装置」の一例であってもよい。
【００２３】
本実施形態に係るスマートフォン１００は、タッチパネル１３０、及びＮＦＣ（Ｎｅａｒ  Ｆｉｅｌｄ  Ｃｏｍｍｕｎｉｃａｔｉｏｎ）用のアンテナ１５０を備える。なお、タッチパネル１３０は、この発明における「第１の表示手段」の一例であってよい。また、ＮＦＣ用のアンテナ１５０は、この発明における「近距離無線通信用の第１の無線通信手段」の一例であってもよい。
【００２４】
タッチパネル１３０は、指先や専用のペンで画面に触れることで入力を行う装置である。
【００２５】
アンテナ１５０は、至近距離でデータ通信を行う近距離無線通信の国際基準の一つであるＮＦＣ用のアンテナである。例えば、アンテナ１５０は、タッチパネル１３０の背面側の、筐体の端部に設けられている。
【００２６】
なお、本実施形態においては、説明が煩雑になることを防ぐことを目的として、スマートフォン１００が一のタッチパネル１３０及びアンテナ１５０を備える構成について説明する。しかしながら、スマートフォン１００は、複数のタッチパネル１３０及びアンテナ１５０を備えてよい。
【００２７】
図２は、第１の実施形態に係る表示システムが備えるタブレット端末２００の構成の一例を示す。ここで、タブレット端末２００とは、板状の筐体の片面がタッチパネルになっており、ほとんどの操作を画面に指を触れて行うタイプの装置である。なお、タブレット端末２００は、この発明における「第２の表示装置」の一例であってもよい。
【００２８】
本実施形態に係るタブレット端末２００は、タッチパネル２３０、及びＮＦＣ用のアンテナ２５０を備える。なお、タッチパネル２３０は、この発明における「第２の表示手段」の一例であってもよい。また、ＮＦＣ用のアンテナ２５０は、この発明における「近距離無線通信用の第２の無線通信手段」の一例であってもよい。
【００２９】
タッチパネル２３０は、指先や専用のペンで画面に触れることで入力を行う装置である。
【００３０】
アンテナ２５０は、至近距離でデータ通信を行う近距離無線通信の国際基準の一つであるＮＦＣ用のアンテナである。例えば、アンテナ２５０は、タッチパネル２３０の背面側の、筐体の端部に設けられている。
【００３１】
なお、本実施形態においては、説明が煩雑になることを防ぐことを目的として、タブレット端末２００が一のタッチパネル２３０及びアンテナ２５０を備える構成について説明する。しかしながら、タブレット端末２００は、複数のタッチパネル２３０及びアンテナ２５０を備えてよい。
【００３２】
図３は、第１の実施形態に係るスマートフォン１００のブロック構成の一例を示す。本実施形態に係るスマートフォン１００は、画像送信部１１１、位置座標特定部１１２及び位置座標情報送信部１１３を有する。以下の説明においては、各構成要素の機能及び動作を詳述する。なお、位置座標特定部１１２は、この発明における「第１の位置座標特定部」の一例であってもよい。
【００３３】
画像送信部１１１は、タッチパネル１３０に表示されている画像がフリックされた場合に、画像を、タブレット端末２００へ送信する。ここで、フリックとは、画面に触れて操作するタッチパネルの基本的な操作方法の一つで、特定の箇所に指を触れた後、はじくようにさっと動かすことである。なお、タッチパネル１３０に表示されている画像がフリックされたことは、この発明における「第１の表示手段に表示されている画像を第２の表示装置へ送信する旨の入力操作が成された」ことの一例であってもよい。
【００３４】
位置座標特定部１１２は、タッチパネル１３０の座標系における画像の位置座標を特定する。
【００３５】
位置座標情報送信部１１３は、位置座標特定部１１２が特定した位置座標の情報を、タブレット端末２００へ送信する。
【００３６】
図４は、第１の実施形態に係るタブレット端末２００のブロック構成の一例を示す。本実施形態に係るタブレット端末２００は、位置関係特定部２１１、画像受信部２１２、位置座標情報受信部２１３、位置座標特定部２１４及び画像表示部２１５を有する。以下の説明においては、各構成要素の機能及び動作を詳述する。なお、位置座標特定部２１４は、この発明における「第２の位置座標特定部」の一例であってもよい。
【００３７】
位置関係特定部２１１は、タッチパネル１３０とタッチパネル２３０との相対的な位置関係を特定する。
【００３８】
画像受信部２１２は、画像を、スマートフォン１００から受信する。
【００３９】
位置座標情報受信部２１３は、位置座標の情報を、スマートフォン１００から受信する。
【００４０】
位置座標特定部２１４は、位置関係特定部２１１が特定した位置関係と、位置座標情報受信部２１３が受信した画像の位置座標の情報とに基づいて、タッチパネル２３０の座標系における画像の位置座標を特定する。
【００４１】
画像表示部２１５は、位置座標特定部２１４が特定した位置座標に基づいて、画像受信部２１２が受信した画像を、タッチパネル２３０に表示させる。
【００４２】
図１０は、第１の実施形態に係るスマートフォン１００及びタブレット端末２００の動作シーケンスの一例を示す。この動作シーケンスの説明においては、タブレット端末２００とスマートフォン１００とを並べて、スマートフォン１００のタッチパネル１３０に表示されている画像を、タブレット端末２００側へフリックする場合の動作について詳述する。なお、この動作シーケンスの説明においては、図１から図９を共に参照する。
【００４３】
ユーザは、スマートフォン１００からタブレット端末２００へ画像を送信するにあたり、図５に示すように、タブレット端末２００のタッチパネル２３０とスマートフォン１００のタッチパネル１３０の向きが同じ向きになるようにして、タブレット端末２００とスマートフォン１００とを並べる。その際、ユーザは、タブレット端末２００のアンテナ２５０の近傍に、スマートフォン１００のアンテナ１５０が位置するようにする。また、本実施形態においては、ユーザは、スマートフォン１００の上下左右の方向と、タブレット端末２００の上下左右の方向とを揃えて並べるようにする。このようにして、スマートフォン１００のアンテナ１５０と、タブレット端末２００のアンテナ２５０とは、ＮＦＣによる通信を開始する。
【００４４】
通信が開始されると、タブレット端末２００の位置関係特定部２１１は、タッチパネル１３０とタッチパネル２３０との相対的な位置関係を特定する（Ｓ１０１）。例えば、タブレット端末２００は、スマートフォン１００の寸法の情報を記憶しているものとする。ここで、スマートフォン１００の寸法の情報には、タッチパネル１３０の縦横の寸法、スマートフォン１００のベゼルの幅、アンテナ１５０の位置等を特定し得る情報が含まれるものとする。また、例えば、タブレット端末２００は、タブレット端末２００の寸法の情報を記憶しているものとする。ここで、タブレット端末２００の寸法の情報には、タッチパネル２３０の縦横の寸法、タブレット端末２００のベゼルの幅、アンテナ２５０の位置等を特定し得る情報が含まれるものとする。例えば、位置関係特定部２１１は、アンテナ１５０とアンテナ２５０とが通信を行っている場合には、アンテナ１５０とアンテナ２５０とが近接しているものとして、スマートフォン１００の寸法の情報と、タブレット端末２００の寸法の情報とを参照して、タッチパネル１３０とタッチパネル２３０との相対的な位置関係を特定する。そして、位置関係特定部２１１は、特定した位置関係の情報を、位置座標特定部２１４へ送る。
【００４５】
そして、ユーザは、図６に示すように、スマートフォン１００のタッチパネル１３０に画像Ｉを表示させて、図中の矢印Ｄ１が指し示す方向へ、画像Ｉをフリックする。
【００４６】
このようにして、画像Ｉがフリックされると、スマートフォン１００の画像送信部１１１は、その画像Ｉを、タブレット端末２００へ送信する（Ｓ１０２）。ここで、画像送信部１１１は、画像Ｉと共に、その表示サイズ（Ｉｘ、Ｉｙ）の情報を共に送信する。
【００４７】
タブレット端末２００の画像受信部２１２は、画像Ｉと、その表示サイズ（Ｉｘ、Ｉｙ）の情報とを、スマートフォン１００から受信すると、画像表示部２１５へ送る。
【００４８】
ここで、フリックされた画像Ｉは、矢印Ｄ１が指し示す方向へ、経時的に移動することになる。
【００４９】
フリックされた画像Ｉが移動し始めると、スマートフォン１００の位置座標特定部１１２は、タッチパネル１３０の座標系における画像Ｉの位置座標を特定する（Ｓ１０３）。例えば、位置座標特定部１１２は、タッチパネル１３０の座標系における画像Ｉの所定の点Ｉｐの位置座標を、画像Ｉの位置座標として特定する。例えば、位置座標特定部１１２は、画像Ｉの位置座標を、所定時間経過する度に特定する。また、例えば、位置座標特定部１１２は、画像Ｉの位置座標を、画像Ｉの所定の点Ｉｐの位置座標が所定量ずれる度に特定する。そして、位置座標特定部１１２は、位置座標を特定する度に、その位置座標の情報を、位置座標情報送信部１１３へ送る。
【００５０】
スマートフォン１００の位置座標情報送信部１１３は、位置座標の情報を、位置座標特定部１１２から受け取る度に、タブレット端末２００へ送信する（Ｓ１０４）。
【００５１】
タブレット端末２００の位置座標情報受信部２１３は、位置座標の情報を、スマートフォン１００から受信する度に、位置座標特定部２１４へ送る。
【００５２】
タブレット端末２００の位置座標特定部２１４は、位置関係の情報を、位置関係特定部２１１から受け取る。そして、位置座標特定部２１４は、位置座標の情報を、位置座標情報受信部２１３から受け取る度に、これらの情報に基づいて、タッチパネル２３０の座標系における画像Ｉの位置座標を特定する（Ｓ１０５）。例えば、位置座標特定部２１４は、タッチパネル２３０の表示領域を超えてタッチパネル２３０の座標系を仮定し、タッチパネル１３０とタッチパネル２３０との相対的な位置関係から、タッチパネル２３０の座標系において、タッチパネル１３０が占める領域を特定する。そして、位置座標特定部２１４は、タッチパネル１３０の座標系における画像Ｉの所定の点Ｉｐの位置座標に基づいて、特定した領域内における画像Ｉの所定の点Ｉｐの位置を特定する。そして、位置座標特定部２１４は、その位置のタッチパネル２３０の座標系における位置座標を特定する。そして、位置座標特定部２１４は、位置座標を特定する度に、その位置座標の情報を、画像表示部２１５へ送る。
【００５３】
タブレット端末２００の画像表示部２１５は、画像Ｉと、その表示サイズ（Ｉｘ、Ｉｙ）の情報とを、画像受信部２１２から受け取る。そして、画像表示部２１５は、位置座標の情報を、位置座標特定部２１４から受け取る度に、画像Ｉを、タッチパネル２３０に表示させる（Ｓ１０６）。例えば、画像表示部２１５は、タッチパネル２３０の座標系において、画像Ｉの所定の点Ｉｐを基準にした場合に、画像Ｉを表示すべき範囲を特定する。そして、その範囲がタッチパネル２３０の表示領域内にない場合、図６に示すように、画像表示部２１５は、タッチパネル２３０に何ら表示させない。また、例えば、画像Ｉを表示すべき範囲の一部がタッチパネル２３０の表示領域内にある場合、図７及び図８に示すように、その一部の範囲に相当する画像を、タッチパネル２３０に表示させる。また、例えば、画像Ｉを表示すべき範囲のすべてがタッチパネル２３０の表示領域内にある場合、図９に示すように、画像Ｉのすべてを、タッチパネル２３０に表示させる。
【００５４】
このようにして、図６に示すように、スマートフォン１００のタッチパネル１３０に表示されていた画像Ｉは、フリックされて、スマートフォン１００のタッチパネル１３０の表示領域からはみ出すことになると、そのはみ出した部分の画像が、図７〜図９に順に示すように、タブレット端末２００のタッチパネル２３０に徐々に表示される。
【００５５】
以上、説明したように、第１の実施形態に係る表示システムは、タッチパネル１３０を具備するスマートフォン１００を備える。また、本実施形態に係る表示システムは、タッチパネル２３０を具備するタブレット端末２００を備える。そして、タブレット端末２００は、タッチパネル１３０とタッチパネル２３０との相対的な位置関係を特定する。そして、スマートフォン１００は、画像Ｉがフリックされた場合に、画像Ｉを、タブレット端末２００へ送信する。そして、タブレット端末２００は、画像Ｉを、スマートフォン１００から受信する。そして、スマートフォン１００は、タッチパネル１３０の座標系における画像Ｉの位置座標を特定する。そして、スマートフォン１００は、特定した位置座標の情報を、タブレット端末２００へ送信する。そして、タブレット端末２００は、位置座標の情報を、スマートフォン１００から受信する。そして、タブレット端末２００は、特定した位置関係と、受信した画像Ｉの位置座標の情報とに基づいて、タッチパネル２３０の座標系における画像Ｉの位置座標を特定する。そして、タブレット端末２００は、特定した画像Ｉの位置座標に基づいて、受信した画像Ｉを、タッチパネル２３０に表示させる。
【００５６】
このようにして、第１の実施形態に係る表示システムによっては、スマートフォン１００に表示されている画像Ｉをフリックして、タブレット端末２００に表示させる際に、画像Ｉがシームレスに移動しているように表示させることができる。
【００５７】
図１１は、第２の実施形態に係る表示システムが備えるスマートフォン１００の構成の一例を示す。本実施形態に係るスマートフォン１００は、タッチパネル１３０、及びＮＦＣ用のアンテナ１５０を備える。なお、上述した実施形態に係るスマートフォン１００及び本実施形態に係るスマートフォン１００の構成要素のうち、同じ符号を付している同名の構成要素は同様の機能及び動作を示す。
【００５８】
アンテナ１５０は、至近距離でデータ通信を行う近距離無線通信の国際基準の一つであるＮＦＣ用のアンテナである。例えば、アンテナ１５０は、タッチパネル１３０の背面側の、筐体の中央部に設けられている。
【００５９】
なお、本実施形態においては、説明が煩雑になることを防ぐことを目的として、スマートフォン１００が一のタッチパネル１３０及びアンテナ１５０を備える構成について説明する。しかしながら、スマートフォン１００は、複数のタッチパネル１３０及びアンテナ１５０を備えてよい。
【００６０】
図１２は、第２の実施形態に係る表示システムが備えるタブレット端末２００の構成の一例を示す。本実施形態に係るタブレット端末２００は、タッチパネル２３０、及びＮＦＣ用のアンテナ２５０を備える。
【００６１】
アンテナ２５０は、至近距離でデータ通信を行う近距離無線通信の国際基準の一つであるＮＦＣ用のアンテナである。例えば、アンテナ２５０は、タッチパネル２３０の背面側の、筐体の端部よりも中央部に近い位置に設けられている。そして、アンテナ２５０は、アンテナ１５０に近接した場合に、アンテナ１５０との間で無線通信を行う。
【００６２】
なお、本実施形態においては、説明が煩雑になることを防ぐことを目的として、タブレット端末２００が一のタッチパネル２３０及びアンテナ２５０を備える構成について説明する。しかしながら、タブレット端末２００は、複数のタッチパネル２３０及びアンテナ２５０を備えてよい。
【００６３】
図１０は、第２の実施形態に係るスマートフォン１００及びタブレット端末２００の動作シーケンスの一例を示す。この動作シーケンスの説明においては、タブレット端末２００とスマートフォン１００とを重ねて、スマートフォン１００のタッチパネル１３０に表示されている画像を、タブレット端末２００側へフリックする場合の動作について詳述する。なお、この動作シーケンスの説明においては、図３〜図４及び図１１〜図１７を共に参照する。また、上述した実施形態に係る動作シーケンス及び本実施形態に係る動作シーケンスの動作段階のうち、同じ符号を付している同名の動作段階は、同様の動作を示す。
【００６４】
ユーザは、スマートフォン１００からタブレット端末２００へ画像を送信するにあたり、図１３に示すように、タブレット端末２００のタッチパネル２３０とスマートフォン１００のタッチパネル１３０の向きが同じ向きになるようにして、タブレット端末２００とスマートフォン１００とを重ねる。その際、ユーザは、タブレット端末２００のアンテナ２５０と、スマートフォン１００のアンテナ１５０とが近接するようにする。また、本実施形態においては、ユーザは、スマートフォン１００の上下左右の方向と、タブレット端末２００の上下左右の方向とを揃えて重ねるようにする。このようにして、スマートフォン１００のアンテナ１５０と、タブレット端末２００のアンテナ２５０とは、ＮＦＣによる通信を開始する。
【００６５】
通信が開始されると、タブレット端末２００の位置関係特定部２１１は、上述した実施形態と同様に、タッチパネル１３０とタッチパネル２３０との相対的な位置関係を特定する（Ｓ１０１）。そして、位置関係特定部２１１は、特定した位置関係の情報を、位置座標特定部２１４へ送る。
【００６６】
そして、ユーザは、図１４に示すように、スマートフォン１００のタッチパネル１３０に画像Ｉを表示させて、図中の矢印Ｄ２が指し示す方向へ、画像Ｉをフリックする。
【００６７】
このようにして、画像Ｉがフリックされると、スマートフォン１００の画像送信部１１１は、その画像Ｉを、タブレット端末２００へ送信する（Ｓ１０２）。ここで、画像送信部１１１は、画像Ｉと共に、その表示サイズ（Ｉｘ、Ｉｙ）の情報を共に送信する。
【００６８】
タブレット端末２００の画像受信部２１２は、画像Ｉと、その表示サイズ（Ｉｘ、Ｉｙ）の情報とを、スマートフォン１００から受信すると、画像表示部２１５へ送る。
【００６９】
ここで、フリックされた画像Ｉは、矢印Ｄ２が指し示す方向へ、経時的に移動することになる。
【００７０】
フリックされた画像Ｉが移動し始めると、スマートフォン１００の位置座標特定部１１２は、タッチパネル１３０の座標系における画像Ｉの位置座標を特定する（Ｓ１０３）。例えば、位置座標特定部１１２は、タッチパネル１３０の座標系における画像Ｉの所定の点Ｉｐの位置座標を、画像Ｉの位置座標として特定する。例えば、位置座標特定部１１２は、画像Ｉの位置座標を、所定時間経過する度に特定する。また、例えば、位置座標特定部１１２は、画像Ｉの位置座標を、画像Ｉの所定の点Ｉｐの位置座標が所定量ずれる度に特定する。そして、位置座標特定部１１２は、位置座標を特定する度に、その位置座標の情報を、位置座標情報送信部１１３へ送る。
【００７１】
スマートフォン１００の位置座標情報送信部１１３は、位置座標の情報を、位置座標特定部１１２から受け取る度に、タブレット端末２００へ送信する（Ｓ１０４）。
【００７２】
タブレット端末２００の位置座標情報受信部２１３は、位置座標の情報を、スマートフォン１００から受信する度に、位置座標特定部２１４へ送る。
【００７３】
タブレット端末２００の位置座標特定部２１４は、位置関係の情報を、位置関係特定部２１１から受け取る。そして、位置座標特定部２１４は、位置座標の情報を、位置座標情報受信部２１３から受け取る度に、これらの情報に基づいて、タッチパネル２３０の座標系における画像Ｉの位置座標を特定する（Ｓ１０５）。例えば、位置座標特定部２１４は、タッチパネル１３０とタッチパネル２３０との相対的な位置関係から、タッチパネル２３０の座標系において、タッチパネル１３０が占める領域を特定する。そして、位置座標特定部２１４は、タッチパネル１３０の座標系における画像Ｉの所定の点Ｉｐの位置座標に基づいて、特定した領域内における画像Ｉの所定の点Ｉｐの位置を特定する。そして、位置座標特定部２１４は、その位置のタッチパネル２３０の座標系における位置座標を特定する。そして、位置座標特定部２１４は、位置座標を特定する度に、その位置座標の情報を、画像表示部２１５へ送る。
【００７４】
タブレット端末２００の画像表示部２１５は、画像Ｉと、その表示サイズ（Ｉｘ、Ｉｙ）の情報とを、画像受信部２１２から受け取る。そして、画像表示部２１５は、位置座標の情報を、位置座標特定部２１４から受け取る度に、画像Ｉを、タッチパネル２３０に表示させる（Ｓ１０６）。例えば、画像表示部２１５は、タッチパネル２３０の座標系において、画像Ｉの所定の点Ｉｐを基準にした場合に、画像Ｉを表示すべき範囲を特定する。そして、その範囲がタッチパネル２３０の表示領域内にない場合、図１４に示すように、画像表示部２１５は、タッチパネル２３０に何ら表示させない。また、例えば、画像Ｉを表示すべき範囲の一部がタッチパネル２３０の表示領域内にある場合、図１５及び図１６に示すように、その一部の範囲に相当する画像を、タッチパネル２３０に表示させる。また、例えば、画像Ｉを表示すべき範囲のすべてがタッチパネル２３０の表示領域内にある場合、図１７に示すように、画像Ｉのすべてを、タッチパネル２３０に表示させる。
【００７５】
このようにして、図１４に示すように、スマートフォン１００のタッチパネル１３０に表示されていた画像Ｉは、フリックされて、スマートフォン１００のタッチパネル１３０の表示領域からはみ出すことになると、そのはみ出した部分の画像が、図１５〜図１６に順に示すように、タブレット端末２００のタッチパネル２３０に徐々に表示される。
【００７６】
以上、説明したように、第２の実施形態に係るスマートフォン１００は、タッチパネル１３０の背面側に設けられたアンテナ１５０を具備する。また、本実施形態に係るタブレット端末２００は、タッチパネル２３０の背面側に設けられて、アンテナ１５０に近接した場合に、アンテナ１５０との間で無線通信を行うアンテナ２５０を具備する。
【００７７】
このようにして、第２の実施形態に係る表示システムによっては、例えば、タブレット端末２００のタッチパネル２３０の正面側にスマートフォン１００を重ねた状態でも、スマートフォン１００に表示されている画像Ｉをフリックして、タブレット端末２００に表示させる際に、画像Ｉがシームレスに移動しているように表示させることができる。
【００７８】
図１８は、第３の実施形態に係るスマートフォン１００のブロック構成の一例を示す。本実施形態に係るスマートフォン１００は、画像送信部１１１、位置座標特定部１１２、位置座標情報送信部１１３及び寸法情報送信部１１４を有する。以下の説明においては、各構成要素の機能及び動作を詳述する。
【００７９】
なお、上述した実施形態に係るスマートフォン１００及び本実施形態に係るスマートフォン１００の構成要素のうち、同じ符号を付している同名の構成要素は同様の機能及び動作を示す。
【００８０】
寸法情報送信部１１４は、スマートフォン１００の寸法の情報を、タブレット端末２００へ送信する。
【００８１】
図１９は、第３の実施形態に係るタブレット端末２００のブロック構成の一例を示す。本実施形態に係るタブレット端末２００は、位置関係特定部２１１、画像受信部２１２、位置座標情報受信部２１３、位置座標特定部２１４、画像表示部２１５及び寸法情報受信部２１６を有する。以下の説明においては、各構成要素の機能及び動作を詳述する。
【００８２】
なお、上述した実施形態に係るタブレット端末２００及び本実施形態に係るタブレット端末２００の構成要素のうち、同じ符号を付している同名の構成要素は同様の機能及び動作を示す。
【００８３】
寸法情報受信部２１６は、寸法の情報を、スマートフォン１００から受信する。
【００８４】
位置関係特定部２１１は、寸法情報受信部２１６が受信した寸法の情報に基づいて、タッチパネル１３０とタッチパネル２３０との相対的な位置関係を特定する。
【００８５】
図２０は、第３の実施形態に係るスマートフォン１００及びタブレット端末２００の動作シーケンスの一例を示す。上述した実施形態においては、タブレット端末２００は、スマートフォン１００の寸法の情報を記憶しているものとして説明した。その場合、タブレット端末２００は、例えば、タブレット端末２００の出荷後に発売されたスマートフォン１００の寸法の情報を記憶していないため、そのようなスマートフォン１００に対応することができない。そこで、この動作シーケンスの説明においては、タブレット端末２００がスマートフォン１００の寸法の情報を記憶していなくても、同様に画像を受け渡しすることができるようにするための動作について詳述する。なお、この動作シーケンスの説明においては、図１１〜図１９を共に参照する。また、上述した実施形態に係る動作シーケンス及び本実施形態に係る動作シーケンスの動作段階のうち、同じ符号を付している同名の動作段階は、同様の動作を示す。
【００８６】
ユーザは、スマートフォン１００からタブレット端末２００へ画像を送信するにあたり、図１３に示すように、タブレット端末２００のタッチパネル２３０とスマートフォン１００のタッチパネル１３０の向きが同じ向きになるようにして、タブレット端末２００とスマートフォン１００とを並べる。その際、ユーザは、タブレット端末２００のアンテナ２５０の近傍に、スマートフォン１００のアンテナ１５０が位置するようにする。また、本実施形態においては、ユーザは、スマートフォン１００の上下左右の方向と、タブレット端末２００の上下左右の方向とを揃えて重ねるようにする。このようにして、スマートフォン１００のアンテナ１５０と、タブレット端末２００のアンテナ２５０とは、ＮＦＣによる通信を開始する。
【００８７】
このようにして、通信が開始されると、スマートフォン１００の寸法情報送信部１１４は、スマートフォン１００の寸法の情報を、タブレット端末２００へ送信する（Ｓ３０７）。
【００８８】
タブレット端末２００の寸法情報受信部２１６は、寸法情報を、スマートフォン１００から受信すると、位置関係特定部２１１へ送る。
【００８９】
タブレット端末２００の位置関係特定部２１１は、寸法情報を、寸法情報受信部２１６から受け取ると、その寸法情報に基づいて、タッチパネル１３０とタッチパネル２３０との相対的な位置関係を特定する（Ｓ３０１）。例えば、タブレット端末２００は、タブレット端末２００の寸法の情報を記憶しているものとする。例えば、位置関係特定部２１１は、アンテナ１５０とアンテナ２５０とが通信を行っている場合には、アンテナ１５０とアンテナ２５０とが近接しているものとして、スマートフォン１００の寸法の情報と、タブレット端末２００の寸法の情報とを参照して、タッチパネル１３０とタッチパネル２３０との相対的な位置関係を特定する。
【００９０】
以上、説明したように、第３の実施形態に係るスマートフォン１００は、スマートフォン１００の寸法の情報を、タブレット端末２００へ送信する。そして、タブレット端末２００は、寸法の情報を、スマートフォン１００から受信する。そして、タブレット端末２００は、受信した寸法の情報に基づいて、タッチパネル１３０とタッチパネル２３０との相対的な位置関係を特定する。
【００９１】
このようにして、第３の実施形態に係る表示システムによっては、タブレット端末２００にとって未知の寸法のスマートフォン１００であっても、スマートフォン１００に表示されている画像Ｉをフリックして、タブレット端末２００に表示させる際に、画像Ｉがシームレスに移動しているように表示させることができる。
【００９２】
図２１は、第４の実施形態に係る表示システムが備えるスマートフォン１００の構成の一例を示す。本実施形態に係るスマートフォン１００は、タッチパネル１３０、ＮＦＣ用のアンテナ１５０及びデジタルコンパス１７０を備える。なお、デジタルコンパス１７０は、この発明における「第１の方位検出手段」の一例であってもよい。また、上述した実施形態に係るスマートフォン１００及び本実施形態に係るスマートフォン１００の構成要素のうち、同じ符号を付している同名の構成要素は、同様の機能及び動作を示す。
【００９３】
デジタルコンパス１７０は、方位磁石に代わり電子的なセンサーによって地磁気を検知し方位を判定する機能を搭載した装置である。
【００９４】
なお、本実施形態においては、説明が煩雑になることを防ぐことを目的として、スマートフォン１００が一のタッチパネル１３０、アンテナ１５０及びデジタルコンパス１７０を備える構成について説明する。しかしながら、スマートフォン１００は、複数のタッチパネル１３０、アンテナ１５０及びデジタルコンパス１７０を備えてよい。
【００９５】
図２２は、第４の実施形態に係る表示システムが備えるタブレット端末２００の構成の一例を示す。本実施形態に係るタブレット端末２００は、タッチパネル２３０、ＮＦＣ用のアンテナ２５０及びデジタルコンパス２７０を備える。なお、デジタルコンパス２７０は、この発明における「第２の方位検出手段」の一例であってもよい。また、上述した実施形態に係るタブレット端末２００及び本実施形態に係るタブレット端末２００の構成要素のうち、同じ符号を付している同名の構成要素は、同様の機能及び動作を示す。
【００９６】
デジタルコンパス２７０は、方位磁石に代わり電子的なセンサーによって地磁気を検知し方位を判定する機能を搭載した装置である。
【００９７】
なお、本実施形態においては、説明が煩雑になることを防ぐことを目的として、タブレット端末２００が一のタッチパネル２３０、アンテナ２５０及びデジタルコンパス２７０を備える構成について説明する。しかしながら、タブレット端末２００は、複数のタッチパネル２３０、アンテナ２５０及びデジタルコンパス２７０を備えてよい。
【００９８】
図２３は、第４の実施形態に係るスマートフォン１００のブロック構成の一例を示す。本実施形態に係るスマートフォン１００は、画像送信部１１１、位置座標特定部１１２、位置座標情報送信部１１３及び方位情報送信部１１５を有する。以下の説明においては、各構成要素の機能及び動作を詳述する。
【００９９】
方位情報送信部１１５は、デジタルコンパス１７０によって検出された方位の情報を、タブレット端末２００へ送信する。
【０１００】
図２４は、第４の実施形態に係るタブレット端末２００のブロック構成の一例を示す。本実施形態に係るタブレット端末２００は、位置関係特定部２１１、画像受信部２１２、位置座標情報受信部２１３、位置座標特定部２１４、画像表示部２１５及び方位情報受信部２１７を有する。以下の説明においては、各構成要素の機能及び動作を詳述する。
【０１０１】
方位情報受信部２１７は、方位情報を、スマートフォン１００から受信する。
【０１０２】
位置関係特定部２１１は、方位情報受信部２１７が受信した方位の情報と、デジタルコンパス２７０によって検出された方位とに基づいて、タッチパネル１３０とタッチパネル２３０との相対的な位置関係を特定する。
【０１０３】
図２５は、第４の実施形態に係るスマートフォン１００及びタブレット端末２００の動作シーケンスの一例を示す。この動作シーケンスの説明においては、スマートフォン１００の上下左右の方向と、タブレット端末２００の上下左右の方向とを、特に意識することなく重ねた場合に、タッチパネル１３０とタッチパネル２３０との相対的な位置関係を特定する動作について詳述する。なお、この動作シーケンスの説明においては、図２１から図２４を共に参照する。また、上述した実施形態に係る動作シーケンス及び本実施形態に係る動作シーケンスの動作段階のうち、同じ符号を付している同名の動作段階は、同様の動作を示す。
【０１０４】
ユーザは、スマートフォン１００からタブレット端末２００へ画像を送信するにあたり、タブレット端末２００のタッチパネル２３０とスマートフォン１００のタッチパネル１３０の向きが同じ向きになるようにして、タブレット端末２００のタッチパネル２３０の正面側にスマートフォン１００を重ねる。その際、ユーザは、タブレット端末２００のアンテナ２５０の位置に、スマートフォン１００のアンテナ１５０を合わせるようにする。但し、本実施形態においては、ユーザは、スマートフォン１００の上下左右の方向と、タブレット端末２００の上下左右の方向とを、特に意識することなく重ねてもよい。このようにして、タブレット端末２００にスマートフォン１００が重ねられると、スマートフォン１００のアンテナ１５０と、タブレット端末２００のアンテナ２５０とが、ＮＦＣによる通信を開始する。
【０１０５】
このようにして、通信が開始されると、スマートフォン１００の方位情報送信部１１５は、デジタルコンパス１７０によって検出された方位の情報を、タブレット端末２００へ送信する（Ｓ４０８）。
【０１０６】
タブレット端末２００の方位情報受信部２１７は、方位の情報を、スマートフォン１００から受信すると、位置関係特定部２１１へ送る。
【０１０７】
タブレット端末２００の位置関係特定部２１１は、方位の情報を、方位情報受信部２１７から受け取ると、方位情報受信部２１７から受け取った方位の情報と、デジタルコンパス２７０によって検出された方位とに基づいて、タッチパネル１３０とタッチパネル２３０との相対的な位置関係を特定する（Ｓ４０１）。例えば、タブレット端末２００は、スマートフォン１００の寸法の情報を記憶しているものとする。また、例えば、タブレット端末２００は、タブレット端末２００の寸法の情報を記憶しているものとする。例えば、位置関係特定部２１１は、アンテナ１５０とアンテナ２５０とが通信を行っている場合には、アンテナ１５０とアンテナ２５０とが近接しているものとして、スマートフォン１００の寸法の情報と、タブレット端末２００の寸法の情報とを参照して、タッチパネル１３０とタッチパネル２３０との相対的な位置関係を特定する。その際、例えば、スマートフォン１００の上側が東を向いていて、タブレット端末２００の上側が北を向いている場合、位置関係特定部２１１は、タッチパネル２３０に対するタッチパネル１３０の相対的な位置を、時計回りに９０°回転させて補正する。
【０１０８】
以上、説明したように、第４の実施形態に係るスマートフォン１００は、スマートフォン１００の向いている方位を検出するデジタルコンパス１７０を更に具備する。また、本実施形態に係るタブレット端末２００は、タブレット端末２００の向いている方位を検出するデジタルコンパス２７０を更に具備する。そして、スマートフォン１００は、デジタルコンパス１７０によって検出された方位の情報を、タブレット端末２００へ送信する。そして、タブレット端末２００は、方位の情報をスマートフォン１００から受信する。そして、タブレット端末２００は、受信した方位の情報と、デジタルコンパス２７０によって検出された方位とに更に基づいて、タッチパネル１３０とタッチパネル２３０との相対的な位置関係を特定する。
【０１０９】
このようにして、第４の実施形態に係る表示システムによっては、スマートフォン１００とタブレット端末２００とが如何なる向きに重ねられても、例えば、タブレット端末２００のタッチパネル２３０の正面側に、スマートフォン１００を重ねた状態で、画像Ｉをフリックした場合、スマートフォン１００のタッチパネル１３０と、タブレット端末２００のタッチパネル２３０とがあたかも繋がっていて、画像Ｉがシームレスにフリックされているかのように表示させることができる。
【０１１０】
図２６は、第５の実施形態に係る表示システムが備えるスマートフォン１００の構成の一例を示す。本実施形態に係るスマートフォン１００は、タッチパネル１３０、及び複数のＮＦＣ用のアンテナ１５０ａ、ｂ（以下、アンテナ１５０と総称する。）を備える。
【０１１１】
なお、上述した実施形態に係るスマートフォン１００及び本実施形態に係るスマートフォン１００の構成要素のうち、同じ符号を付している同名の構成要素は、同様の機能及び動作を示す。また、本実施形態においては、説明が煩雑になることを防ぐことを目的として、スマートフォン１００が一のタッチパネル１３０を備える構成について説明する。しかしながら、スマートフォン１００は、複数のタッチパネル１３０を備えてよい。
【０１１２】
図２７は、第５の実施形態に係るスマートフォン１００のブロック構成の一例を示す。本実施形態に係るスマートフォン１００は、画像送信部１１１、位置座標特定部１１２、位置座標情報送信部１１３及び通信手段情報送信部１１６を有する。以下の説明においては、各構成要素の機能及び動作を詳述する。
【０１１３】
通信手段情報送信部１１６は、複数のアンテナ１５０のうち、アンテナ２５０と通信しているアンテナ１５０の識別情報を、タブレット端末２００へ送信する。なお、アンテナ１５０の識別情報は、この発明における「通信手段の情報」の一例であってよい。
【０１１４】
図２８は、第５の実施形態に係るタブレット端末２００のブロック構成の一例を示す。本実施形態に係るタブレット端末２００は、位置関係特定部２１１、画像受信部２１２、位置座標情報受信部２１３、位置座標特定部２１４、画像表示部２１５及び通信手段情報受信部２１８を有する。以下の説明においては、各構成要素の機能及び動作を詳述する。
【０１１５】
通信手段情報受信部２１８は、アンテナ１５０の識別情報を、スマートフォン１００から受信する。
【０１１６】
位置関係特定部２１１は、通信手段情報受信部２１８が受信したアンテナの識別情報に基づいて、タッチパネル１３０とタッチパネル２３０との相対的な位置関係を特定する。
【０１１７】
図２９は、第５の実施形態に係るスマートフォン１００及びタブレット端末２００の動作シーケンスの一例を示す。この動作シーケンスの説明においては、何れかのアンテナ１５０とアンテナ２５０とが通信する場合に、タッチパネル１３０とタッチパネル２３０との相対的な位置関係を特定する動作について詳述する。なお、この動作シーケンスの説明においては、図１２、及び図２６〜図２８を共に参照する。また、上述した実施形態に係る動作シーケンス及び本実施形態に係る動作シーケンスの動作段階のうち、同じ符号を付している同名の動作段階は、同様の動作を示す。
【０１１８】
ユーザは、スマートフォン１００からタブレット端末２００へ画像を送信するにあたり、タブレット端末２００のタッチパネル２３０とスマートフォン１００のタッチパネル１３０の向きが同じ向きになるようにして、タブレット端末２００のタッチパネル２３０の正面側にスマートフォン１００を重ねる。その際、ユーザは、タブレット端末２００のアンテナ２５０の位置に、スマートフォン１００の複数のアンテナ１５０のうち、何れかのアンテナを合わせるようにする。また、本実施形態においては、ユーザは、スマートフォン１００の上下左右の方向と、タブレット端末２００の上下左右の方向とを揃えて重ねるようにする。このようにして、タブレット端末２００にスマートフォン１００が重ねられると、スマートフォン１００のアンテナ１５０と、タブレット端末２００のアンテナ２５０とが、ＮＦＣによる通信を開始する。
【０１１９】
このようにして、通信が開始されると、スマートフォン１００の通信手段情報送信部１１６は、複数のアンテナ１５０のうち、タブレット端末２００のアンテナ２５０と通信しているアンテナの識別情報を、タブレット端末２００へ送信する（Ｓ４１１）。
【０１２０】
タブレット端末２００の通信手段情報受信部２１８は、アンテナの識別情報を、スマートフォン１００から受信すると、位置関係特定部２１１へ送る。
【０１２１】
タブレット端末２００の位置関係特定部２１１は、アンテナの識別情報を、通信手段情報受信部２１８から受け取ると、そのアンテナの識別情報に基づいて、タッチパネル１３０とタッチパネル２３０との相対的な位置関係を特定する（Ｓ４０１）。例えば、タブレット端末２００は、スマートフォン１００の寸法の情報を記憶しているものとする。ここで、スマートフォン１００の寸法の情報に含まれるアンテナ１５０の位置の情報は、そのアンテナ１５０の識別情報に対応付けられているものとする。また、例えば、タブレット端末２００は、タブレット端末２００の寸法の情報を記憶しているものとする。例えば、位置関係特定部２１１は、アンテナ１５０ａとアンテナ２５０とが通信を行っている場合には、アンテナ１５０ａとアンテナ２５０とが近接しているものとして、スマートフォン１００の寸法の情報と、タブレット端末２００の寸法の情報とを参照して、タッチパネル１３０とタッチパネル２３０との相対的な位置関係を特定する。
【０１２２】
以上、説明したように、第５の実施形態に係るスマートフォン１００は、複数のアンテナ１５０を具備する。そして、スマートフォン１００は、複数のアンテナ１５０のうち、アンテナ２５０と通信しているアンテナ１５０の識別情報を、タブレット端末２００へ送信する。そして、タブレット端末２００は、アンテナ１５０の識別情報を、スマートフォン１００から受信する。そして、タブレット端末２００は、受信したアンテナ１５０の識別情報に基づいて、タッチパネル１３０とタッチパネル２３０との相対的な位置関係を特定する。
【０１２３】
このようにして、第５の実施形態に係る表示システムによっては、スマートフォン１００のアンテナ１５０と、タブレット端末２００のアンテナ２５０とを、より柔軟に重ねることができる。
【０１２４】
図３０は、第６の実施形態に係る表示システムが備えるタブレット端末２００の構成の一例を示す。本実施形態に係るタブレット端末２００は、タッチパネル２３０、及び複数のＮＦＣ用のアンテナ２５０ａ〜ｃ（以下、アンテナ２５０と総称する。）を備える。
【０１２５】
なお、上述した実施形態に係るタブレット端末２００及び本実施形態に係るタブレット端末２００の構成要素のうち、同じ符号を付している同名の構成要素は、同様の機能及び動作を示す。また、本実施形態においては、説明が煩雑になることを防ぐことを目的として、タブレット端末２００が一のタッチパネル２３０を備える構成について説明する。しかしながら、タブレット端末２００は、複数のタッチパネル２３０を備えてよい。
【０１２６】
図３１は、第６の実施形態に係るスマートフォン１００及びタブレット端末２００の動作シーケンスの一例を示す。この動作シーケンスの説明においては、アンテナ１５０と何れかのアンテナ２５０とが通信する場合に、タッチパネル１３０とタッチパネル２３０との相対的な位置関係を特定する動作について詳述する。なお、この動作シーケンスの説明においては、図１１、図１８〜図１９及び図３０を共に参照する。また、上述した実施形態に係る動作シーケンス及び本実施形態に係る動作シーケンスの動作段階のうち、同じ符号を付している同名の動作段階は、同様の動作を示す。
【０１２７】
ユーザは、スマートフォン１００からタブレット端末２００へ画像を送信するにあたり、タブレット端末２００のタッチパネル２３０とスマートフォン１００のタッチパネル１３０の向きが同じ向きになるようにして、タブレット端末２００のタッチパネル２３０の正面側にスマートフォン１００を重ねる。その際、ユーザは、タブレット端末２００の複数のアンテナ２５０のうち、何れかのアンテナの位置に、スマートフォン１００のアンテナ１５０を合わせるようにする。また、本実施形態においては、ユーザは、スマートフォン１００の上下左右の方向と、タブレット端末２００の上下左右の方向とを揃えて重ねるようにする。このようにして、タブレット端末２００にスマートフォン１００が重ねられると、スマートフォン１００のアンテナ１５０と、タブレット端末２００のアンテナ２５０とが、ＮＦＣによる通信を開始する。
【０１２８】
このようにして、通信が開始されると、タブレット端末２００の位置関係特定部２１１は、複数のアンテナ２５０のうち、アンテナ１５０と通信しているアンテナ２５０の位置に基づいて、タッチパネル１３０とタッチパネル２３０との相対的な位置関係を特定する（５４０１）。例えば、タブレット端末２００は、スマートフォン１００の寸法の情報を記憶しているものとする。また、例えば、タブレット端末２００は、タブレット端末２００の寸法の情報を記憶しているものとする。例えば、位置関係特定部２１１は、アンテナ１５０とアンテナ２５０ａとが通信を行っている場合には、アンテナ１５０とアンテナ２５０ａとが近接しているものとして、スマートフォン１００の寸法の情報と、タブレット端末２００の寸法の情報とを参照して、タッチパネル１３０とタッチパネル２３０との相対的な位置関係を特定する。
【０１２９】
以上、説明したように、第６の実施形態に係るタブレット端末２００は、複数のアンテナ２５０を具備する。そして、タブレット端末２００は、複数のアンテナ２５０のうち、アンテナ１５０と通信しているアンテナ２５０の位置に基づいて、タッチパネル１３０とタッチパネル２３０との相対的な位置関係を特定する。
【０１３０】
このようにして、第６の実施形態に係る表示システムによっては、スマートフォン１００のアンテナ１５０と、タブレット端末２００のアンテナ２５０とを、より柔軟に重ねることができる。
【０１３１】
図３６は、第７の実施形態に係るスマートフォン１００及びタブレット端末２００の動作シーケンスの一例を示す。この動作シーケンスの説明においては、タッチパネル２３０に表示された画像Ｉが移動する方向を制御する動作について詳述する。なお、この動作シーケンスの説明においては、図３〜図４、図１１〜図１３、図３２〜図３５を共に参照する。また、上述した実施形態に係る動作シーケンス及び本実施形態に係る動作シーケンスの動作段階のうち、同じ符号を付している同名の動作段階は、同様の動作を示す。
【０１３２】
ユーザは、スマートフォン１００からタブレット端末２００へ画像を送信するにあたり、図１３に示すように、タブレット端末２００のタッチパネル２３０とスマートフォン１００のタッチパネル１３０の向きが同じ向きになるようにして、タブレット端末２００のタッチパネル２３０の正面側にスマートフォン１００を重ねる。その際、ユーザは、タブレット端末２００のアンテナ２５０の位置に、スマートフォン１００のアンテナ１５０を合わせるようにする。また、本実施形態においては、ユーザは、スマートフォン１００の上下左右の方向と、タブレット端末２００の上下左右の方向とを揃えて重ねるようにする。このようにして、タブレット端末２００にスマートフォン１００が重ねられると、スマートフォン１００のアンテナ１５０と、タブレット端末２００のアンテナ２５０とが、ＮＦＣによる通信を開始する。
【０１３３】
このようにして、通信が開始されると、タブレット端末２００の位置関係特定部２１１は、タッチパネル１３０とタッチパネル２３０との相対的な位置関係を特定する（Ｓ１０１）。そして、位置関係特定部２１１は、特定した位置関係の情報を、位置座標特定部２１４へ送る。
【０１３４】
そして、ユーザは、図３２に示すように、スマートフォン１００のタッチパネル１３０に画像Ｉを表示させて、図中の矢印Ｄ３が指し示す方向へ、画像Ｉをフリックする。
【０１３５】
このようにして、画像Ｉがフリックされると、スマートフォン１００の画像送信部１１１は、その画像Ｉを、タブレット端末２００へ送信する（Ｓ１０２）。ここで、画像送信部１１１は、画像Ｉと共に、その表示サイズ（Ｉｘ、Ｉｙ）の情報を共に送信する。
【０１３６】
タブレット端末２００の画像受信部２１２は、画像Ｉと、その表示サイズ（Ｉｘ、Ｉｙ）の情報とを、スマートフォン１００から受信すると、画像表示部２１５へ送る。
【０１３７】
ここで、フリックされた画像Ｉは、矢印Ｄ３が指し示す方向へ、経時的に移動することになる。
【０１３８】
フリックされた画像Ｉが移動し始めると、スマートフォン１００の位置座標特定部１１２は、タッチパネル１３０の座標系における画像Ｉの位置座標を特定する（Ｓ１０３）。例えば、位置座標特定部１１２は、タッチパネル１３０の座標系における画像Ｉの所定の点Ｉｐの位置座標を、画像Ｉの位置座標として特定する。例えば、位置座標特定部１１２は、画像Ｉの位置座標を、所定時間経過する度に特定する。また、例えば、位置座標特定部１１２は、画像Ｉの位置座標を、画像Ｉの所定の点Ｉｐの位置座標が所定量ずれる度に特定する。そして、位置座標特定部１１２は、位置座標を特定する度に、その位置座標の情報を、位置座標情報送信部１１３へ送る。
【０１３９】
スマートフォン１００の位置座標情報送信部１１３は、位置座標の情報を、位置座標特定部１１２から受け取る度に、タブレット端末２００へ送信する（Ｓ１０４）。
【０１４０】
タブレット端末２００の位置座標情報受信部２１３は、位置座標の情報を、スマートフォン１００から受信する度に、位置座標特定部２１４へ送る。
【０１４１】
タブレット端末２００の位置座標特定部２１４は、位置関係の情報を、位置関係特定部２１１から受け取る。そして、位置座標特定部２１４は、位置座標の情報を、位置座標情報受信部２１３から受け取る度に、これらの情報に基づいて、タッチパネル２３０の座標系における画像Ｉの位置座標を特定する（Ｓ１０５）。そして、位置座標特定部２１４は、位置座標を特定する度に、その位置座標の情報を、画像表示部２１５へ送る。
【０１４２】
タブレット端末２００の画像表示部２１５は、画像Ｉと、その表示サイズ（Ｉｘ、Ｉｙ）の情報とを、画像受信部２１２から受け取る。そして、画像表示部２１５は、位置座標の情報を、位置座標特定部２１４から受け取る度に、画像Ｉを、タッチパネル２３０に表示させる（Ｓ７０６）。ここで、画像表示部２１５は、画像Ｉを、タッチパネル２３０表示させるにあたり、画像を移動させる方向を調整する。この例の場合、画像表示部２１５は、図３２に示すように、矢印Ｄ３が指し示す方向へフリックされた画像Ｉを、例えば、図３４に示すように、矢印Ｄ４が指し示す方向へ、画像を移動させる方向を調整する。
【０１４３】
このようにして、図３２に示すように、スマートフォン１００のタッチパネル１３０に表示されていた画像Ｉは、フリックされて、スマートフォン１００のタッチパネル１３０の表示領域からはみ出すことになると、そのはみ出した部分の画像が、図３３〜図３５に順に示すように、タブレット端末２００のタッチパネル２３０に徐々に表示される。
【０１４４】
以上、説明したように、第７の実施形態に係るタブレット端末２００は、画像Ｉを、タッチパネル２３０に表示させるにあたり、タッチパネル２３０の表示領域から画像Ｉがはみ出ないように、画像Ｉを移動させる方向を調整する。
【０１４５】
このようにして、第１の実施形態に係る表示システムによっては、例えば、フリックされた画像Ｉが、タブレット端末２００のタッチパネル２３０の表示領域からはみ出ないようにすることができる。
【０１４６】
図３７は、スマートフォン１００のハードウェア構成の一例を示す。なお、タブレット端末２００のハードウェア構成は、スマートフォン１００と同様であってもよい。
【０１４７】
スマートフォン１００は、ホストコントローラ１０１により相互に接続される中央処理装置１０２、ＲＡＭ（Ｒａｎｄｏｍ  Ａｃｃｅｓｓ  Ｍｅｍｏｒｙ）１０３、グラフィックコントローラ１０４及びタッチパネル１３０を備える。また、スマートフォン１００は、入出力コントローラ１０５によりホストコントローラ１０１に接続される通信インターフェース１０６、不揮発メモリ１０７及びメモリカードドライブ１０８を備える。
【０１４８】
中央処理装置１０２は、不揮発メモリ１０７及びＲＡＭ１０３に格納されたプログラムに基づいて動作して、各部を制御する。グラフィックコントローラ１０４は、ＲＡＭ１０３等から取得した画像データを、タッチパネル１３０上に表示させる。通信インターフェース１０６は、ネットワークを介して外部と通信する。不揮発メモリ１０７は、中央処理装置１０２が使用するプログラム及びデータを格納する。メモリカードドライブ１０８は、メモリカードＭに対して、プログラム又はデータの読み取り又は書き込みを行う。メモリカードドライブ１０８は、読み取ったプログラム又はデータを、ＲＡＭ１０３及び不揮発メモリ１０７に送信する。
【０１４９】
中央処理装置１０２は、不揮発メモリ１０７及びＲＡＭ１０３に格納されているプログラムを実行することにより、スマートフォン１００を、画像送信部１１１、位置座標特定部１１２、位置座標情報送信部１１３、寸法情報送信部１１４、方位情報送信部１１５、通信手段情報送信部１１６として機能させる。
【０１５０】
同様に、中央処理装置は、不揮発メモリ及びＲＡＭに格納されているプログラムを実行することにより、タブレット端末２００を、位置関係特定部２１１、画像受信部２１２、位置座標情報受信部２１３、位置座標特定部２１４、画像表示部２１５、寸法情報受信部２１６、方位情報受信部２１７、通信手段情報受信部２１８として機能させる。
【０１５１】
不揮発メモリ１０７及びＲＡＭ１０３に格納されているプログラムは、メモリカードＭ等の記録媒体に格納されて提供されてもよく、外部の情報処理装置からネットワークを介して提供されてもよい。
【０１５２】
以上、本発明を実施の形態を用いて説明したが、本発明の技術的範囲は、上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【０１５３】
特許請求の範囲、明細書及び図面中において示したシステム、方法、装置、プログラム及び記録媒体における動作、手順、ステップ及び段階等の各処理の実行順序は、特段「より前に」、「先立って」等と明示しておらず、また、前の処理の出力を後の処理で用いるのでない限り、任意の順序で実現し得ることに留意すべきである。特許請求の範囲、明細書及び図面中の動作フローに関して、便宜上「まず、」、「次に、」等を用いて説明したとしても、この順で実施することが必須であることを意味するものではない。
【符号の説明】
【０１５４】
１００  スマートフォン
１０１  ホストコントローラ
１０２  中央処理装置
１０３  ＲＡＭ
１０４  グラフィックコントローラ
１０５  入出力コントローラ
１０６  通信インターフェース
１０７  不揮発メモリ
１０８  メモリカードドライブ
１１１  画像送信部
１１２  位置座標特定部
１１３  位置座標情報送信部
１１４  寸法情報送信部
１１５  方位情報送信部
１１６  通信手段情報送信部
１３０  タッチパネル
１５０  アンテナ
１７０  デジタルコンパス
２００  タブレット端末
２１１  位置関係特定部
２１２  画像受信部
２１３  位置座標情報受信部
２１４  位置座標特定部
２１５  画像表示部
２１６  寸法情報受信部
２１７  方位情報受信部
２１８  通信手段情報受信部
２３０  タッチパネル
２５０  アンテナ
２７０  デジタルコンパス
Ｉ  画像
Ｍ  メモリカード
【図１】
2014206894.tif 000003
【図２】
2014206894.tif 000004
【図３】
2014206894.tif 000005
【図４】
2014206894.tif 000006
【図５】
2014206894.tif 000007
【図６】
2014206894.tif 000008
【図７】
2014206894.tif 000009
【図８】
2014206894.tif 000010
【図９】
2014206894.tif 000011
【図１０】
2014206894.tif 000012
【図１１】
2014206894.tif 000013
【図１２】
2014206894.tif 000014
【図１３】
2014206894.tif 000015
【図１４】
2014206894.tif 000016
【図１５】
2014206894.tif 000017
【図１６】
2014206894.tif 000018
【図１７】
2014206894.tif 000019
【図１８】
2014206894.tif 000020
【図１９】
2014206894.tif 000021
【図２０】
2014206894.tif 000022
【図２１】
2014206894.tif 000023
【図２２】
2014206894.tif 000024
【図２３】
2014206894.tif 000025
【図２４】
2014206894.tif 000026
【図２５】
2014206894.tif 000027
【図２６】
2014206894.tif 000028
【図２７】
2014206894.tif 000029
【図２８】
2014206894.tif 000030
【図２９】
2014206894.tif 000031
【図３０】
2014206894.tif 000032
【図３１】
2014206894.tif 000033
【図３２】
2014206894.tif 000034
【図３３】
2014206894.tif 000035
【図３４】
2014206894.tif 000036
【図３５】
2014206894.tif 000037
【図３６】
2014206894.tif 000038
【図３７】
2014206894.tif 000039